(57)【特許請求の範囲】
【請求項１】
表面シート、裏面シート及び両シート間に介在する吸収体を備えた縦長の吸収性本体と、該吸収性本体の長手方向の両側に形成された一対の防漏壁とを有する吸収性物品において、
前記防漏壁は、吸収性物品の長手方向における着用者の液排泄部に対向配置される排泄部領域に、伸縮性シートが肌当接面側に凸状をなし内部に空洞が形成された高起立部を有し、該排泄部領域より前方及び／又は後方に、内部に空洞を有するが、幅方向の断面形状が前記高起立部とは異なり高さが該高起立部より低い低起立部を有しており、
前記高起立部は、前記防漏壁における吸収性物品の内方側及び外方側に、該防漏壁の一部が前記空洞の内部側に入り込み該空洞の外部側に屈曲している内方折込み部及び外方折込み部を有しており、
前記低起立部は、前記空洞の内壁同士が部分的に接合されていることによって、前記高起立部より高さが低くなされており、
前記伸縮性シートは、吸収性物品の長手方向と同方向に長い形状を有し、該伸縮性シートの長手方向の両端部は、吸収性物品の長手方向の両端部に形成されたエンドシール部に固定されており、
前記低起立部は、吸収性物品の長手方向における、前記高起立部と前記エンドシール部との間に形成されている、吸収性物品。
【請求項２】
前記防漏壁は、前記排泄部領域より前方及び後方の何れか一方に、前記空洞の内壁同士が部分的に接合されていることによって前記高起立部より高さが低くなされている前記低起立部を有し、他方に、前記防漏壁の外面同士又は該防漏壁の外面と前記吸収性本体とが接合されていることによって前記高起立部より高さが低くなされている内部に空洞を有する低起立部を有しており、前記他方に有する低起立部も、吸収性物品の長手方向における、前記高起立部と前記エンドシール部との間に形成されている、請求項１記載の吸収性物品。
【請求項３】
前記内方折込み部及び前記外方折込み部が、前記防漏壁の幅方向に離間している、請求項１又は２記載の吸収性物品。
【発明の詳細な説明】
【技術分野】
【０００１】
本発明は、生理用ナプキンや失禁パッド等の吸収性物品に関し、更に詳しくは、フィット性及び液漏れ防止性に優れ、着用中にこれら両性能の低下が起こりにくい吸収性物品に関する。
【背景技術】
【０００２】
従来、生理用ナプキンや失禁パッド等の吸収性物品として、防漏壁に、長手方向に弾性伸縮し且つ着用者の肌に面状に当接する弾性伸縮部を備えた吸収性物品が知られている。斯かる防漏壁は、吸収性物品を着用者にフィットする好ましい立体形状（特に長手方向の断面が凹状）に変形させることや、着用者の肌に対する密着性を向上させ、液漏れを確実に防止すること等を目的とするものである。しかし、従来の吸収性物品においては、着用中に装着者の体圧により防漏壁が倒れたり潰れたりして防漏壁の機能が充分に発現されない場合があり、優れたフィット性や液漏れ防止性が得られない場合があった。また、特開平８−１８２７０２号公報（特許文献１）には、上端部に、着用者の肌に面状に当接する防漏面を有する防漏壁を設けた吸収性物品が開示されているが、その防漏壁は、着用者の液排泄部に対向する部位のみに設けられているため、該部位より後方に配される後方部におけるフィット性が必ずしも充分とは言えない場合があった。
【０００３】
特開２００１−９５８４４号公報（特許文献２）には、生理用ナプキンに折り畳んだ構造の防漏壁を形成することで、吸収面幅を広くすることができるため液吸収しやすく、狭い幅による防漏壁であってもその起立性を高めて横漏れ防止効果に優れたものとできる。さらに液排泄部より後方にも防漏壁を形成して、より横漏れ防止性を向上している。しかし、後方においても液排泄部と同様の高さを有する防漏壁では、生理用ナプキンの湾曲や防漏壁の起立性によって、後方における生理用ナプキンの吸収面とのフィット性が低下しやすく、後方における伝い漏れを誘発しやすい。
【０００４】
このため、特開２００３−２４５３０６号公報（特許文献３）には、重層部のような後方における防漏壁の高さを抑制する部位が形成されて、吸収性物品の湾曲や防漏壁の高さが抑えられ、後方におけるフィット性が高められている。しかしながら、シート状の弾性部材を平面的な形状のまま形成したこれらの防漏壁は、使用中の圧力により折り畳まれて吸収性物品の表面に接触して、防漏壁の一部に排泄液が間接的に付着しやすく、漏れが発生していない場合でも漏れているような印象を与えやすい場合があった。
【０００５】
一方、特開平１１−１９１２３号公報（特許文献４）には、吸収性物品の両側部にシート状の弾性部材を幅方向断面がアーチ状となるよう配置し、柔軟性と防漏性の高い防漏壁を形成する技術が提案されている。この技術によれば、装着者の身体形状に添う形にアーチ形状は容易に変形して良好にフィットし、横漏れ防止性を有する。
【０００６】
【特許文献１】特開平８−１８２７０２号公報
【特許文献２】特開２００１−９５８４４号公報
【特許文献３】特開２００３−２４５３０６号公報
【特許文献４】特開平１１−１９１２３号公報
【発明の開示】
【発明が解決しようとする課題】
【０００７】
特許文献４に記載の技術のように、吸収性物品の両側部に幅方向断面がアーチ形状の防漏壁を形成すると、良好なフィット性と防漏壁の両端部が固定されている形状であることよって、使用中に圧力を受けても固定されている両端部よりはみ出し難く、間接的な汚れが起き難い。このため、本来の横漏れ防止性に加え、横漏れを防止する印象も高い。
しかし、近年、夜用の生理用ナプキン等においては、吸収性物品の長さが長くなる傾向にあり、吸収性物品の長さが長くなるにつれ、防漏壁も長くなっているため、特許文献３に記載の吸収性物品のように、液排泄部以外の部分の高さを抑制することが、防漏性及び液排泄部以外でのフィット性を維持するため重要となっているが、特許文献４のように、アーチ形状の防漏壁の高さを抑制するには、防漏壁の弾性収縮力を向上させる手段かアーチ両端の幅を狭くする手段が考えられる。しかし、弾性収縮力を向上すると身体との離間が起こり易く、吸収性物品の湾曲の程度も大きくなって、吸収性物品とのフィット性、防漏壁の変形性が低下する。幅を狭くした場合には、起立安定性・起立維持性が低く、防漏性が低下し、排泄領域における防漏壁形状も形状が維持し難くなってしまう。また、アーチ形状では、使用者に防漏壁の存在を認知させにくい（幅方向に連続的に高さ変化するため立体的な形状を認識しにくい）という不利な点があった。
【０００８】
従って、本発明の目的は、フィット性及び液漏れ防止性に優れており、着用中にこれら両性能の低下が起こりにくい吸収性物品を提供することにある。
【課題を解決するための手段】
【０００９】
本発明は、表面シート、裏面シート及び両シート間に介在する吸収体を備えた吸収性本体と、該吸収性本体の長手方向の両側に形成された防漏壁とを有する吸収性物品において、前記防漏壁は、吸収性物品の長手方向における着用者の液排泄部に対向配置される排泄部領域に、伸縮性シートが肌当接面側に凸の凸状をなし内部に空洞が形成された高起立部を有し、該排泄部領域より前方及び／又は後方に、内部に空洞を有するが、幅方向の断面形状が前記高起立部とは異なり高さが該高起立部より低い低起立部を有することを特徴とする吸収性物品を提供することにより、前記目的を達成したものである。
【発明の効果】
【００１０】
本発明の吸収性物品は、防漏壁形成による長手方向の過度の湾曲による吸収性物品と身体との離間及び防漏壁の変形追従性の低下を防止し、着用中でも違和感なく安定的したフィット性を有するとともに液漏れを起こし難く、視覚的にもその効果を認知しやすい。
【発明を実施するための最良の形態】
【００１１】
以下、本発明の吸収性物品を、その好ましい一実施形態である生理用ナプキンに基づき図面を参照して説明する。図１〜図３は、本発明の第１実施形態の生理用ナプキンを示す図であり、図１は、排泄部領域で仮想的に切断した斜視図、図２は、防漏壁を伸長させて平面状に拡げた状態を肌当接面側から見た平面図、図３は、湾曲した状態のナプキン側部の（ａ）Ｉ−Ｉ線断面図、（ｂ）ＩＩ−ＩＩ線断面図、及び（ｃ）ＩＩＩ−ＩＩＩ線断面図である。
【００１２】
第１実施形態の生理用ナプキン１（以下、単にナプキン１ともいう）は、図１に示すように、肌当接面側に位置する表面シート２、非肌当接面側に位置する裏面シート３、及び該両シート間２，３に配置された吸収体４を具備する縦長の吸収性本体５と、吸収性本体５の長手方向の両側に形成された一対の防漏壁６，６とを有している。ナプキン１は、図１及び図２に示すように、角が丸みを帯びた縦長の矩形形状を有し、吸収体４も同様に角が丸みを帯びた縦長の矩形形状を有している。ナプキン１は、吸収性本体５の長手方向と同方向に長い形状を有しており、その長手方向の中央部よりやや前寄りの位置に、ナプキン１の着用時に、着用者の液排泄部（膣口）に対向配置される排泄部領域Ａを有し、その前後に、着用者の液排泄部より前方（腹側）に配される前方部Ｂと、着用者の液排泄部より後方（背中側）に配される後方部Ｃとを有している。ナプキン１は、ナプキン１の長手方向に延びる中央線に対して左右対称形状である。
【００１３】
防漏壁６は、伸縮性シート６１を用いて形成されている。表面シート２は、防漏壁６を形成する伸縮性シート６１と吸収体４上で接合されており、該伸縮性シート６１は、防漏壁６を形成し、吸収体４の長手方向の側縁４ａより幅方向外方に延出されている。裏面シート３は、吸収体４の長手方向の側縁４ａそれぞれから幅方向外方に延出する延出部分を有している。伸縮性シート６及び裏面シート３は、それぞれ、吸収体４の外周縁から外方に延出し、延出した両シート３，６の外周縁によってナプキン１の外形（縦長の略矩形形状）が形作られている。吸収体４の外周縁から延出した両シート３，６は、接着剤やヒートシール等の接合手段によって互いに接合されており、ナプキン１の長手方向における着用者の液排泄部に対向配置される排泄部領域Ａにおいては、下着（ショーツ等）のクロッチ部を覆い汚れ防止と粘着剤による固定を行うためのウイング部７が形成されている。
【００１４】
本明細書において、「長手方向」は、吸収性物品又は吸収性本体の長手方向に沿う方向（図２では上下方向）であり、「幅方向」は、該長手方向と直交する方向（図２では左右方向）である。また、「肌当接面」は、吸収性物品着用時に着用者の肌側に向けられる面であり、「非肌当接面」は、吸収性物品着用時に下着側（着用者の肌側とは反対側）に向けられる面である。
【００１５】
第１実施形態の生理用ナプキン１の肌当接面には、該ナプキン１の長手方向に沿う溝８，８がエンボス加工により形成されている。自然状態において、生理用ナプキン１の肌当接面側を平面視した場合、溝８は、防漏壁６によって覆われていない。図３においては、溝８の図示を省略してある。
【００１６】
第１実施形態の生理用ナプキン１においては、図１又は図３に示すように、帯状の伸縮性シート６１が、生理用ナプキン１の長手方向に配設及び固定されており、該伸縮性シート６１の収縮により、肌当接面側に凸の凸曲面形状の立体形態を有する防漏壁６，６が形成されている。
【００１７】
更に詳述すると、生理用ナプキン１の両側部それぞれに、伸縮性シート６，６が、吸収性本体５の一部を構成する吸収体４よりも肌当接面側に配設されており、伸縮性シート６，６の収縮により、生理用ナプキン１の両側部に、それぞれ該生理用プキン１の長手方向に延び、幅方向の断面形状が肌当接面側に凸の円弧形状である凸曲面形状の立体形態により内部に空洞を有する防漏壁６，６が形成されている。一対の上記伸縮性シート６，６は、それぞれ、生理用ナプキン１の長手方向に伸張された状態で、その両側縁を固定されている。各伸縮性シート６は、ナプキン１の長手方向と同方向に長い形状を有し、それぞれの長手方向の両端部は、ナプキン１の長手方向の両端部に形成されたエンドシール部９，９に固定されている。
【００１８】
防漏壁６は、ナプキン１の長手方向における排泄部領域Ａに、伸縮性シート６１が肌当接面側に凸の凸状をなし内部に空洞が形成された高起立部６Ａを有している。
本実施形態で用いた伸縮性シート６１は、実質的に非伸長性の２枚のシート６２，６３が、両者間に複数本の弾性部材６４を伸長状態で挟んだ状態で、ホットメルト型接着剤等の接着剤を介して貼り合わされてなる複合シートである。２枚のシート６２，６３は、同形同大であり、何れも不織布製である。伸縮性シート６１は、図３（ｂ）に示すように、ナプキン１の幅方向中央部側の一側縁６１ａから所定幅の部分が、吸収体４の肌当接面側の面上に固定されている。この所定幅の部分（内側固定部分）６１ｂは、片面が、図示しない接着剤により吸収体４に接合されている。内側固定部分６１ｂの他面には、接着剤６１ｃにより表面シート２に接合されている。伸縮性シート６１は、内側固定部分６１ｂの一端である内側固定端６１ｄから所定幅離間した位置に、複数本の弾性部材６４が互いに平行に間隔を設けて配された弾性領域６１ｅを有しており、更にその幅方向の外側には、吸収体４の非肌当接面側に配されたシート（裏面シート３）における、吸収体４の側縁部４ａより幅方向外方に延出した部分に接合された外側固定部分６１ｆを有している。弾性領域６１ｅと、外側固定部分６１ｆの一端である外側固定端６１ｇとの間も所定幅離間している。伸縮性シート６１は、弾性領域６１ｅに固定されている弾性部材６４が収縮することによって、内側固定端６１ｄと外側固定端６１ｇとの間が、図３（ｂ）に示すように、ループ状をなして起立し、それによって、排泄部領域Ａにおける防漏壁６に、伸縮性シート６１が肌当接面側に凸の凸状をなし、内部に空洞を有する高起立部６Ａが形成されている。
【００１９】
高起立部６Ａにおいては、図３（ｂ）に示すように、弾性領域６１ｅが、断面円弧状をなしている。弾性領域６１ｅに配される糸状ないし紐状の弾性部材６４は、例えば、３〜３０本程度とすることができ、４〜２０本程度が好ましく、５〜１０本程度がより好ましい。ナプキン１においては、図２に示すように、高起立部６Ａが、排泄部領域Ａから後方部Ｃの一部（後方部Ｃにおける液配設領域Ａに比較的近い部分）に亘って形成されている。
外側固定端６１ｇが、吸収体４の側縁４ａより外方に、該側縁４ａから離間させて形成されていることによって、該側縁４ａと伸縮性シート６１との間に隙間Ｓが形成されるため、吸収体４に吸収された液が、側縁４ａから伸縮性シート６１に滲みだして漏れ出すことを効果的に防止することができる。
【００２０】
また、排泄部領域Ａにおける防漏壁６（高起立部６Ａ）は、図３（ｂ）に示すように、空洞内部側に入り込み空洞外部側に屈曲する折込み部Ｅ１，Ｅ２を有している。折込み部Ｅ２は、防漏壁６の上端部と下端部（外側固定部分６１ｅ）の略中間位置に形成されており、幅方向中央側の固定部による内方折込み部Ｅ１と幅方向外方側の外方折込み部Ｅ２によって、防漏壁６は、Ω形状とされている。幅方向中央側の固定部は、表面シート２の非肌当接面側に伸縮性シート６を配して接合されていることによって固定が安定化され、主にそのことによって内方折込み部Ｅ１はその形状が安定化されている。外方折込み部Ｅ２は、後述する前方部及び後方部の防漏壁の高さを短くする抑制部によって安定化されている。このようにΩ形状の空洞が形成されることで、空洞の形状変形（空洞の潰れ）による身体へのフィット性及び、防漏壁高さと折込み部による下面接触防止による漏れ防止性を有する。折込み部は、Ω形状の空洞の屈曲箇所をいい、空洞の形状変形（空洞の潰れ）の潰れ箇所が安定し、何度潰れても同じ箇所で屈曲し元に復元し、ループ形状が安定する。潰れ箇所が定まらないと、いろんな箇所で屈曲することになり、復元時のループ形状はいびつになり、フィット性が妨げられ、漏れが起こりやすくなる。
【００２１】
各防漏壁６は、図２及び図３に示すように、ナプキン１の長手方向における排泄部領域Ａより前方及び後方に、内部に空洞を有するが、幅方向の断面形状が高起立部６Ａとは異なり高さＨが該高起立部６Ａより低い低起立部６Ｂ，６Ｃを有している。低起立部６Ｂ，６Ｃは、ナプキン１の長手方向において、防漏壁６を構成する伸縮性シート６１が伸縮性を示す領域に形成されている。
各防漏壁６の低起立部６Ｂ，６Ｃは、高さ抑制手段によって、高起立部６Ａよりも高さが低くなされている。高起立部６Ａ及び低起立部６Ｂ，６Ｃの高さＨは、それぞれ、各防漏壁６に隣接する液吸収面からの高さＨ（図３参照）である。
【００２２】
前方部の低起立部６Ｂにおける高さ抑制手段は、防漏壁６のΩ形状の空洞部内部（防漏壁の内部に形成される空洞の内壁同士）を部分的に接合する接合手段６５である。接合手段６５としては、各種公知の接合手段を採用することができ、例えば、ホットメルト型接着剤等の接着剤やヒートシール等が好ましく用いられる。防漏壁６を柔軟に維持する観点からは、接着剤が好ましい。
後方部の低起立部６Ｃにおける高さ抑制手段は、防漏壁６のΩ形状の空洞部の下部外面を他の部分に接合する接合手段６６，６７である。一方の接合手段６６は、防漏壁６の外面同士を接合しており、他方の接合手段６７は、防漏壁６の外面と吸収性本体５（詳細には表面シート２）とを接合している。接合手段６６，６７としては、接合手段６５と同様のものを用いることができる。
【００２３】
低起立部６Ｂのように、空洞の内壁同士を接合して高さを抑制すると、伸縮特性の低下を抑えながら高さを抑制することができるため、吸収性物品を身体形状に沿い易くすることができ、表面シート２と防漏壁６との間にポケット部を形成しやすい。従って、そのようにして高さを抑制した低起立部６Ｂは、曲率変化が大きい部位、即ち前方部Ａに適している。他方、低起立部６Ｃのように、空洞部の下部外面を他に接合して高さを抑制すると、空洞を残したまま高さを抑制することができるため、防漏壁のフィット性が高く、動きにおける追従性が高い。また、装着時に一旦空洞が潰れても、元の空洞に復元し、定起立部を維持し、高起立部とともに、装着者の股下形状にうまく追随し、漏れ防止に一層寄与することができる。
【００２４】
また、前方部及び後方部の高さ抑制部の形成によって折込み部が固定されるため、排泄部領域における折込み部形状が安定するとともに、折込み部間が離間した形状となることでΩ形状の空洞部を倒れ難くする効果も有する。
【００２５】
さらにΩ形状には、防漏壁６を認識しやすくして漏れ抑止効果を実感しやすい点と、空洞部が潰れて液で濡れている表面シートと接触しても防漏壁６の汚れを認識し難く、汚れを起こし難い機能を有する。従来技術による空洞化では、表面シートと接合された防漏壁は連続的にその高さを変化させていたため、使用者にその存在を認識させにくかったが、Ω形状によって防漏壁６と表面シート２の区別がしやすく、安心感が与えられ易い。また、使用時の圧力によって空洞が潰れ防漏壁が直接表面シートと接したとしても、接触する面は非使用面側であり、汚れが見えないだけでなく、空洞が完全には潰されず、特に空洞の両側の張出部には空洞が残りやすいことから、液が肌と防漏壁の間で滲む防漏壁の汚れも起こり難い。
【００２６】
空洞の内壁同士を接合して高さ抑制手段とする場合、その接合手段６５による接合は、図３（ａ）に示すように、防漏壁６の幅方向に向かって突出する部分に、伸縮性シート６１の相対向する面同士が接合されていない部分６６，６６が生じるように行うことが、低起立部６Ｂの高さを抑制しつつ、高起立部６Ａに内方折込み部Ｅ１及び外方折込み部Ｅ２が接触して幅方向に倒れやすい防漏壁とならず、高起立部６Ａにおける内方折込み部Ｅ１及び外方折込み部Ｅ２の幅方向に離間した形状が安定化される結果、曲面状の柔軟な変形性を有するループ形状を形成させる点から好ましい。
【００２７】
生理用ナプキン１における表面シート２、裏面シート３及び吸収体４としては、従来既知の材料等を特に制限なく使用することができる。
表面シートとしては、液の保持がし難い構造の材料、例えば立体的な導液管を有する開孔フィルムや凹凸構造を有する不織布の開孔／未開孔体が好ましく、裏面シートとしてはポリエチレン等の樹脂材料によるフィルムが好ましい。また、吸収体には、パルプ、高吸収性ポリマーの混合体やポリマーシートが使用可能であり、吸収体の上面に液戻り防止性を高める不織布による中間シートを配することも好ましい。
【００２８】
裏面シート３の非肌当接面側には、本体固定用の第１粘着部とウイング部固定用の第２粘着部が形成されている。即ち、裏面シート３の外面における吸収体４の配置領域（吸収体４と重なる領域）には、吸収性本体５を下着等の着衣に固定する第１粘着部（図示せず）が形成されており、ウイング部７の裏面シート３側の面には第２粘着部（図示せず）が形成されている。
【００２９】
第１実施形態のナプキン１においては、上述したように、防漏壁形成用の伸縮性シート６として、実質的に非伸長性の２枚のシート６２，６３間に弾性部材６４を伸長状態で固定してなる複合シートを用いたが、これに代えて、多様な伸縮性シートを用いることができる。即ち、本発明における伸縮性シートは、シート状であり、伸縮性を有するものであれば特に限定されない。但し、防漏効果の点から、液難透過性であることがが好ましい。ここでいう液難透過性には、液不透過性も含まれる。
【００３０】
伸縮性シートとして用い得るシート材料としては、伸縮性のフィルム、不織布、織物またはそれらの積層シート等が挙げられる。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する材料（フィルム、糸状物、不織布、織物）やこれら伸縮性の材料（弾性部材）と不織布等の積層物等が挙げられる。上記伸縮性フィルムは、表面シートよりも肌当接面側に使用する場合には、肌触りを良好にする為、及びヒートシール性や接着剤による固定性を向上する為に、ポリエチレン／ポリエステル、ポリエチレン／ポリプロピレン、ポリプロピレンからなる熱可塑性不織布と積層し、積層材として用いることが好ましい。この様な熱可塑性不織布は、不織布自身が伸縮性を有する様に、クリンプ加工した繊維を用いることが好ましく、伸び難いクリンプ加工していない不織布を積層する場合においては、積層する前にあらかじめ弾性部材のみを所定の伸張率まで伸張し、不織布材料とホットメルトやヒートシール等によって接着し、伸縮性を発現するシート材料とする様に作成してもよい。
【００３１】
また、伸縮性シートの伸縮挙動はどの部分でも同じである必要は無く、防漏壁の形状安定性や他の構成材料との複合化の観点から、伸張性を異ならせたり伸縮性のない部分を形成することが好ましい。具体的には、防漏壁のΩ形状の張出部より上端部までに伸縮性が必要であり、折込み部付近に折込み形状安定化のため伸縮性を発現するように弾性機能の付与もしくは弾性部材を配置し、固定部や幅方向延出部では伸縮機能を発現しないあるいは弾性部材を配しないことで、固定性や柔軟性を向上することができる。
【００３２】
次に、図４に示される側部断面を有する第２実施形態の生理用ナプキンついて説明する。第２実施形態の生理用ナプキンについては、上述した生理用ナプキン１と異なる点について説明し、同様の点については説明を省略する。特に説明しない点については、上述した生理用ナプキン１についての説明が適宜適用される。
【００３３】
第２実施形態の生理用ナプキンでは、表面シート２の上面に、防漏壁形成用の伸縮性シート６が配置されて固定されている。また、表面シート２が吸収体４の側縁４ａより幅方向外方に突出して折込み部Ｅ２が形成されやすくなっている。そのため、吸収体４と伸縮性シート６との間に隙間Ｓが形成されて折込み部Ｅ２をより安定化しやすくされている。表面シート２が吸収体４の側縁４ａから延出する長さＬ〔図４（ｂ）参照〕は２〜１０ｍｍ、特に３〜５ｍｍであることが好ましい。さらに、表面シート２の上面に伸縮性シート６１のナプキン幅方向の中央側部分が位置することで、空洞の潰れによるΩ形状の張出部下部６９が直接表面シート２と接することが無くなるため、特に排泄部領域Ａにおいて防漏壁の液にじみを防止しやすい。
【００３４】
次に、図５に示される側部断面を有する第３実施形態の生理用ナプキンついて説明する。第３実施形態の生理用ナプキンについては、上述した生理用ナプキン１と異なる点について説明し、同様の点については説明を省略する。特に説明しない点については、上述した生理用ナプキン１についての説明が適宜適用される。
【００３５】
第３実施形態の生理用ナプキンでは、表面シート２の上面側に伸縮性シート６１が配置されており、Ω形状に変形した伸縮性シートの両端部が何れも表面シート２に固定されている。そのため、Ω形状の外方端部が吸収体上もしくはより外方で固定されている場合より、吸収体の使用中さらには液吸収による変形に対するΩ形状の崩れが、液による変形の少ない合成樹脂材料よりなる表面シートに固定されていることでおき難くされている。
第３実施形態においても、伸縮性シート６１の内側固定端６１ｄと外側固定端６１ｆとの間が、ループ状に変形して内部空洞の高起立部６Ａを形成している。
【００３６】
加えて、第３実施形態の生理用ナプキンでは、図５（ａ）及び図５（ｃ）に示すように、ヒートシール７１による固定を、防漏壁６におけるナプキン１幅方向の外方側で用い、更にはナプキンの長手方向の端部より排泄部領域Ａ側の部位で、その固定を外方側で行うことによって、高起立部６Ａにおける防漏壁６の断面形状を、図５（ｂ）に示すように、外方張出部６Ｄが内方張出部６Ｅに比べて大きく張出す形状とすることができる。そのため、吸収面を広くし防漏壁の汚れを防止しやすい形状とすることができる。また、吸収体の側方端部を越えて張出部を形成しやすいため、吸収体端部と延出部の段差感を緩和できる。
なお、表面シートに代えて同様に液による変形の少ない材料による中間シートを使用して同様の構成を形成しても良い。
【００３７】
次に、図６に示される側部断面を有する第４実施形態の生理用ナプキンついて説明する。第４実施形態の生理用ナプキンについては、上述した生理用ナプキン１と異なる点について説明し、同様の点については説明を省略する。特に説明しない点については、上述した生理用ナプキン１についての説明が適宜適用される。
【００３８】
第４実施形態の生理用ナプキンでは、前方部の低起立部６Ｂ及び後方部の低起立部６Ｃが、何れも、第１実施形態の後方部の低起立部６Ｃと同様の方法で高さが抑制されている。これによって、空洞の変形によるフィット性及び柔軟性が、防漏壁全体で実現できる。
【００３９】
以上、本発明をその好ましい幾つかの実施形態に基づき説明したが、本発明は上述した実施形態に制限されるものではない。
例えば、低起立部は、排泄部領域より前方又は後方の何れか一方のみに形成されていても良い。また、伸縮性シートとして、実質的に非伸長性の２枚のシート６２，６３間に弾性部材６４を伸長状態で固定してなる複合シートを用いる場合、その複合シートは、図７に示すように、複数本の弾性部材６４が配されている弾性領域６１ｅ以外の部分が、一枚のシート６３のみからなるものであっても良い。また、シート６２，６３は、一方又は双方が不織布以外のシート材、例えば樹脂フィルム等からなるものであっても良い。
図１には、吸収体４として、下部吸収層４２上に、中高部形成用の小型の上部吸収層４１を積層したものを示したが、一層の吸収層からなる吸収体や厚みが略全域において均一な吸収体を用いても良い。
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【００４０】
本発明に係る吸収性物品は、生理用ナプキンの他、失禁パッド、パンティライナー、使い捨ておむつ等であっても良い。
【図面の簡単な説明】
【００４１】
【図１】図１は、本発明の第１実施形態の生理用ナプキンを、排泄部領域で仮想的に切断して示す斜視図である。
【図２】図２は、第１実施形態の生理用ナプキンの肌当接面側（表面シート側）を示す平面図であり、防漏壁が起立されていない伸長状態を示す図である。
【図３】図３は、第１実施形態の生理用ナプキンの湾曲した状態のナプキン側部の断面を示す模式図であり、（ａ）Ｉ−Ｉ線断面図、（ｂ）ＩＩ−ＩＩ線断面図、及び（ｃ）ＩＩＩ−ＩＩＩ線断面図である。
【図４】図４は、本発明の第２実施形態の図３相当図である。
【図５】図５は、本発明の第３実施形態の図３相当図である。
【図６】図６は、本発明の第４実施形態の図３相当図である。
【図７】図７は、本発明で用いる伸縮性シートの他の例を示す断面図である。
【符号の説明】
【００４２】
１  生理用ナプキン（吸収性物品）
２  表面シート
３  裏面シート
４  吸収体
４ａ  吸収体の側縁
５  吸収性本体
６  防漏壁
６Ａ  高起立部
６Ｂ  前方の低起立部
６Ｃ  後方の低起立部
６１  伸縮性シート
Ｅ１，Ｅ２  折込み部
Ａ  排泄部領域
Ｂ  前方部
Ｃ  高方部
【図１】
0005099769.tif 000002
【図２】
0005099769.tif 000003
【図３】
0005099769.tif 000004
【図４】
0005099769.tif 000005
【図５】
0005099769.tif 000006
【図６】
0005099769.tif 000007
【図７】
0005099769.tif 000008